(57)【特許請求の範囲】
【請求項１】
表面に配送情報記入部を有してなる上紙片と、この上紙片に折り兼切り取り部を介して連接された表面に配送情報記入部を有してなる中紙片と、表面に配送情報記入部を有し裏面側に粘着剤と剥離紙を有して前記中紙片に折り兼切り取り部を介して連接された貼付片とが、前記中紙片を中心にしてＺ状に折り畳み可能に設けられ、前記上紙片と中紙片の裏面側に厚さ調整片が接着されてなると共に、前記Ｚ状の折り畳みで対向する厚さ調整片の対向面に、通常では接着することなく接着条件の付与により接着力を生じて上紙片と中紙片とを剥離可能に接着する接着剤が塗布され、前記Ｚ状の折り畳みで対向する前記中紙片と貼付片との対向面に、通常では接着することなく接着条件の付与により接着力を生じて中紙片と貼付片とを剥離可能に接着する接着剤が塗布されていることを特徴とする配送伝票。
【発明の詳細な説明】
【０００１】
【発明の属する技術分野】
本発明は配送物の配送に際して使用する配送伝票に関するものである。
【０００２】
【発明が解決しようとする課題】
従来から配送物を配送する場合、配送物側に受取人の住所氏名などの情報を設けるようにするとともに、配送作業員が取り扱う帳票や受取人側からの受領確認が行えるようにするために、複数枚の帳票を分離可能に綴じ合わせた配送伝票が用いられている。例えば、差出人側控、業務管理用の配送票、配送作業員用の配達票、受取人から受領確認を得るための受領票、そして、配送物に貼付するなどして一体化させる貼付票などからなり、これらの帳票それぞれにおいて配送物に関する差出人住所氏名や受取人住所氏名、配送物名などの配送情報を記載するための配送情報記入部を有しており、カーボンシステムやノンカーボンシステムを採用することで最上位の帳票の配送情報記入部に記載した配送情報が下位の帳票にも同時複写できるように設けられていた。ところで、通信販売業者のように数多くの顧客向けに配送物を配送する場合においても上記した配送伝票を使用し、集中管理された顧客情報などから配送情報をその配送伝票に出力するようにして発行業務の効率化が図られるようになってきており、このような配送伝票の発行に際しては上述したように配送伝票が複写形式であるためにインパクトプリンタを用いて出力が行われている。一方、近年、印字処理に優れ高い静粛性が得られるノンインパクト形式のプリンタが多く出回るようになってきていることから、このノンインパクトプリンタを用いて配送伝票の発行が希望されるようになってきたが、上述した従来の配送伝粟では複数枚の帳票が重ね合わされた構造であり、この配送伝票に対して前記ノンインパクトプリンタでは情報出力が行えないという問題がある。そこで、本発明は上記事情に鑑み、配送伝票を構成する複数枚の帳票や紙片などを同一面に並べられるようにするとともに、配送物の配送に伴って必要な帳票や紙片などを取り外すことができるようにすることを課題とし、上述したノンインパクトプリンタを用いた配送伝票への情報出力が行えるようにすることを目的とする。
【０００３】
【課題を解決するための手段】
本発明は上記課題を考慮してなされたもので、表面に配送情報記入部を有してなる上紙片と、この上紙片に折り兼切り取り部を介して連接された表面に配送情報記入部を有してなる中紙片と、表面に配送情報記入部を有し裏面側に粘着剤と剥離紙を有して前記中紙片に折り兼切り取り部を介して連接された貼付片とが、前記中紙片を中心にしてＺ状に折り畳み可能に設けられ、前記上紙片と中紙片の裏面側に厚さ調整片が接着されてなると共に、前記Ｚ状の折り畳みで対向する厚さ調整片の対向面に、通常では接着することなく接着条件の付与により接着力を生じて上紙片と中紙片とを剥離可能に接着する接着剤が塗布され、前記Ｚ状の折り畳みで対向する前記中紙片と貼付片との対向面に、通常では接着することなく接着条件の付与により接着力を生じて中紙片と貼付片とを剥離可能に接着する接着剤が塗布されていることを特徴とする配送伝票を提供して、上記課題を解消するものである。
【０００４】
【発明の実施の形態】
つぎに本発明を図１から図３に示す実施の形態に基づいて詳細に説明する。図中１は配送伝票で、該配送伝票１は図１に示されているように、上紙片２と中紙片３と貼付片４とが横一連にして連接されたものである。前記上紙片２は表面側に配送情報記入部５を有している配達兼受領票としてなるものであり、例えば前記配達兼受領票は配送作業員が直接取り扱ったり配送物を渡した受取人から受け取り確認のための受領印を貰うためのもので、受領印部６を有している。
【０００５】
上記上紙片２と中紙片３とは折り用ミシン目からなる折り兼切り取り部７を介して連接され、この中紙片３と上記貼付片４とは折り兼切り取り用ミシン目からなる折り兼切り取り部８を介して連接されており、前記中紙片３を中心にしてＺ状に折り畳み可能に設けられている。そして、前記中紙片３と貼付片４にあっては、展開状態で上紙片２の表面と同じ側の表面で、前記Ｚ状に折り畳んだときには隠される側の面にそれぞれ配送情報記入部５を有している。また、この貼付片４は裏面に粘着剤９と剥離紙１０を有しており、後述するようにＺ状に折り畳まれた配送伝票を配送物に貼着する際にはこの粘着剤９によって貼り付けられる。このように配送伝票１においては、展開状態で同一面側となる上記上紙片２の表面と中紙片３の表面とを貼付片４の表面とにそれぞれ配送情報記入部５が位置しているため、この展開状態とした配送伝票１をインパクトプリンタやノンインパクトプリンタにセットして各配送情報記入部５に配送情報を印字することができる。
【０００６】
配送伝票１では、上記折り兼切り取り部７，８から中紙片３が中心となるようにしてＺ状に折り畳み可能に設けられているものであり、上紙片２と中紙片３とは、このＺ状の折り畳みで裏面それぞれを対向面として折り合わされ、中紙片３と貼付片４とではＺ状の折り畳みで表面それぞれを対向面として折り合わされるようにしている。前記上紙片２の対向面と中紙片３の対向面には、貼付片４裏面側の粘着剤９と剥離紙１０の厚みとほぼ同厚とするために、厚さ調整片１２を貼付し、この厚さ調整片１２に、通常では接着することなく、接着条件により接着力を生じる剥離可能な接着剤１１が塗布され、また、中紙片３の対向面と貼付片４の対向面には、通常では接着することなく、接着条件により接着力を生じる剥離可能な接着剤１１が塗布されている。そして、前記接着剤１１への圧、熱などからなる接着条件の付与は上記配送情報記入部５への情報を印字し、この配送伝票１をＺ状に折り畳んだ後に行われるものである。
【０００７】
図３は配送伝票１をＺ状に折り畳み、加圧や加熱するなどして接着条件を付与して上紙片２、中紙片３、貼付片４とを貼り合わせた状態を断面で示している。この断面で示されているように、中紙片３の横幅寸法が貼付片４の横幅寸法より大きく、中紙片３と中紙片４とを貼り合わせたときに折り兼切り取り部７が貼付片４の外側辺より外方に位置するようになり、この外方に張り出した折り兼切り取り部７が指掛かりとなって配送票の引き起こしが容易になるように設けられている。
【０００８】
【発明の効果】
以上説明したように、本発明の配送伝票は、表面に配送情報記入部を有してなる上紙片と、この上紙片に折り兼切り取り部を介して連接された表面に配送情報記入部を有してなる中紙片と、表面に配送情報記入部を有し裏面側に粘着剤と剥離紙を有して前記中紙片に折り兼切り取り部を介して連接された貼付片とが、前記中紙片を中心にしてＺ状に折り畳み可能に設けられ、前記上紙片と中紙片の裏面側に厚さ調整片が接着されてなると共に、前記Ｚ状の折り畳みで対向する厚さ調整片の対向面に、通常では接着することなく接着条件の付与により接着力を生じて上紙片と中紙片とを剥離可能に接着する接着剤が塗布され、前記Ｚ状の折り畳みで対向する前記中紙片と貼付片との対向面に、通常では接着することなく接着条件の付与により接着力を生じて中紙片と貼付片とを剥離可能に接着する接着剤が塗布されていることを特徴とする。このように、上紙片と、中紙片と、貼付片とが一連に連接されて、配送情報記入部が展開状態の配送伝票の同一面側にそれぞれ位置していると共に、各片の厚みがほぼ同一であるため、紙片間に段差が無く、インパクトプリンタばかりでなくノンインパクトプリンタによっても配送情報が印字出力できるようになり、配送伝票の発行に際して印字処理に優れ高い静粛性のあるノンインパクトプリンタが採用できるようになる。また、折り畳んだ後に上紙片と中紙片と貼付片とを貼り合わせることができるため、この折り畳まれて各片を貼り合わせてなる配送伝票を貼付片の粘着剤を介して配送物に取り付けても、各配送票が引き起こし可能な状態のままバラ付かなくなり、その取り扱いが簡単になるなど、実用性に優れた効果を奏するものである。
【図面の簡単な説明】
【図１】  本発明に係る配送伝票の一例を示すもので、（イ）は一例の表面を示す説明図、（ロ）は一例を断面で示す説明図。
【図２】  一例をＺ状に折り畳む状態を示す説明図。
【図３】  折り畳まれた配送伝票を断面で示す説明図。
【符号の説明】
１  配送伝票
２  上紙片
３  中紙片
４  貼付片
５  配送情報記入部
６  受領印部
７、８  折り兼切り取り部
９  粘着剤
１０  剥離紙
１１  剥離可能に接着する接着剤
１２  厚さ調整片
【図１】
0003757029.tif 000002
【図２】
0003757029.tif 000003
【図３】
0003757029.tif 000004